(57)【要約】【課題】寿命の低下を防止することができるシュレッダーを提供する。【解決手段】被細断物１００を細断する回転カッタ１４と、回転カッタ１４の上方に形成された平面視略長方形状の開口１３と、開口１３内に設置され、開口１３の長手方向に延びる一の内壁面１３１との間で、被細断物１００を投入する投入口１３’を形成する側面３１を有し、開口１３の長手方向と平行な軸を中心に回転可能な回転部材３と、回転部材３が所定角度回転したときに、回転カッタ１４を停止させる停止スイッチ２と、を備え、回転部材３は、側面３１の上部に、投入口１３’下方へ被細断物１００を案内するように傾斜した傾斜面３２が形成されている。【選択図】図１
2008136988.tif 000002
【特許請求の範囲】
【請求項１】
被細断物を細断する細断手段と、
前記細断手段の上方に形成された平面視略長方形状の開口と、
前記開口内に設置され、前記開口の長手方向に延びる一の内壁面との間で、被細断物を投入する投入口を形成する側面を有し、前記開口の長手方向と平行な軸を中心に回転可能な回転部材と、
前記回転部材が所定角度回転したときに、前記細断手段を停止させる停止スイッチと、を備え、
前記回転部材は、前記側面の上部に、前記投入口下方へ被細断物を案内するように傾斜した傾斜面が形成されている、シュレッダー。
【請求項２】
被細断物を細断する細断手段と、
長尺状に形成され、前記細断手段の上方で所定間隔をおいて配置された一対の回転部材であって、これらの間に形成された隙間が被細断物の投入口を構成し、前記投入口の長手方向と平行な各回転軸回りに回転可能な第１及び第２回転部材と、
前記第１回転部材が所定角度回転したときに前記細断手段を停止させる第１停止スイッチと、を備え、
前記第１及び第２回転部材の少なくとも一方は、前記投入口に面する側面の上部に、前記投入口下方へ被細断物を案内するように傾斜した傾斜面が形成されている、シュレッダー。
【請求項３】
前記第２回転部材が所定角度回転したときに前記細断手段を停止させる第２停止スイッチをさらに備えた、請求項２に記載のシュレッダー。
【請求項４】
前記傾斜面は、上端が円弧状に形成されている、請求項１から３のいずれかに記載のシュレッダー。
【発明の詳細な説明】
【技術分野】
【０００１】
本発明は、シュレッダーに関するものである。
【背景技術】
【０００２】
紙などの被細断物を細断するためのシュレッダーにおいて、その細断能力を超える枚数の被細断物が投入されると、回転カッタ等がその被細断物を細断できないため紙詰まりが発生することがある。このとき、細断手段による細断を停止させずに続行させると、回転カッタや、それを駆動するモータ等の駆動部に対して過負荷の状態が続き、その結果駆動部が故障するおそれがある。そこで、例えば特許文献１に記載のシュレッダーでは、以下のように構成することで、回転カッタや、その駆動部に対する過負荷の状態が続くことを防止している。すなわち、シュレッダーに、その細断能力を超える枚数の被細断物が投入されてその回転カッタの駆動部に対して過負荷の状態となると、その過負荷を検出器によって検出する。検出器で過負荷が検出されれば、一定時間回転カッタを逆転させることにより、回転カッタに詰まった被細断物をはき出す。このように構成することで、回転カッタや駆動部に対して過負荷の状態が続くことを防止している。
【特許文献１】実用新案登録第２５１１９１４号公報
【発明の開示】
【発明が解決しようとする課題】
【０００３】
しかしながら、上記シュレッダーでは、投入された被細断物が回転カッタの細断能力を超えるものかどうかを判断するために、一旦、回転カッタで被細断物の少なくとも一部を細断する必要がある。このため、投入された被細断物が回転カッタの能力を超えるものであったとき、回転カッタ及びその駆動部に対して過剰な負担がかかってしまう。これを繰り返すことで回転カッタやその駆動部の寿命が低下し、ひいてはシュレッダー自体の寿命が低下する。
【０００４】
そこで、本発明は、寿命の低下を防止することができるシュレッダーを提供することを課題とする。
【課題を解決するための手段】
【０００５】
本発明に係る第１のシュレッダーは、上記課題を解決するためになされたものであり、被細断物を細断する細断手段と、前記細断手段の上方に形成された平面視略長方形状の開口と、前記開口内に設置され、前記開口の長手方向に延びる一の内壁面との間で、被細断物を投入する投入口を形成する側面を有し、前記開口の長手方向と平行な軸を中心に回転可能な回転部材と、前記回転部材が所定角度回転したときに、前記細断手段を停止させる停止スイッチと、を備え、前記回転部材は、前記側面の上部に、前記投入口下方へ被細断物を案内するように傾斜した傾斜面が形成されている。
【０００６】
このように構成することで、以下のような効果を得ることができる。すなわち、細断手段の細断能力を超える枚数の被細断物を投入口へ投入すると、被細断物の厚みによって回転部材の側面と、被細断物との間に摩擦力が作用する。被細断物を投入口内でさらに下方へ進行させると、被細断物との間に作用する摩擦力のために、回転部材は被細断物の下方への進行に伴って回転する。その結果、停止スイッチで細断手段を停止させることができる。このように、細断手段がその細断能力を超える枚数の被細断物を細断する前に、回転部材が回転することで細断手段の駆動を停止させることができる。このため、細断手段の細断能力を超える枚数の被細断物を細断することによって生じうる細断手段及びその駆動部に過剰な負担を防止することが可能となる。この結果、細断手段及びその駆動部の寿命が低下することを防止でき、ひいては、シュレッダー自体の寿命が低下することを防止することができる。
【０００７】
また、回転部材は、側面の上部に傾斜面が形成されているため、以下のような効果を得ることができる。すなわち、回転部材が、その側面の上部に上記傾斜面を形成せずにそのまま側面を上方に延ばしてその上端部に角部を形成したものであれば次の問題が生じうる。つまり、被細断物の投入口下方への進行に伴って回転部材が回転する際、回転部材の側面の角部が被細断物と当接して、回転が困難となってしまう可能性がある。これに対して、本発明に係るシュレッダーの回転部材は側面の上部に傾斜面が形成されているため、回転部材が回転する際に被細断物と当接する角部を削減することができ、回転部材を容易に回転させることができる。また、同様に傾斜面が形成されていることによって、回転部材が回転した際に角部で投入口が狭まることを抑制することができるので、投入口に投入された被細断物を容易に取り出すことができる。
【０００８】
また、本発明に係る第２のシュレッダーは、上記課題を解決するためになされたものであり、被細断物を細断する細断手段と、長尺状に形成され、前記細断手段の上方で所定間隔をおいて配置された一対の回転部材であって、これらの間に形成された隙間が被細断物の投入口を構成し、前記投入口の長手方向と平行な各回転軸回りに回転可能な第１及び第２回転部材と、前記第１回転部材が所定角度回転したときに前記細断手段を停止させる第１停止スイッチと、を備え、前記第１及び第２回転部材の少なくとも一方は、前記投入口に面する側面の上部に、前記投入口下方へ被細断物を案内するように傾斜した傾斜面が形成されている。
【０００９】
このように構成することで、上述した第１のシュレッダーと同様の効果を得ることができる。また、上記第１のシュレッダーと異なり、第２のシュレッダーは、対向する第１及び第２回転部材によって投入口を形成している。よって、投入口の幅よりも大きい厚さを有する被細断物を投入すると、この被細断物を双方とも回転する第１及び第２回転部材で挟む状態となるため、いずれの回転部材に対しても力が作用しやすくなり、より容易に各回転部材を回転させることができる。この結果、より確実に停止スイッチを作動させて、細断手段を停止させることを可能とする。
【００１０】
上記第２のシュレッダーは種々の構成をとることができ、例えば、上記第２回転部材が所定角度回転したときに前記細断手段を停止させる第２停止スイッチをさらに備えていてもよい。このように、各回転部材に対応するように停止スイッチをそれぞれ設けることで、何らかの原因でどちらか一方の回転部材の回転が妨げられた場合であっても、残りの回転部材が回転することでこれに対応する停止スイッチが細断手段を停止させることができる。
【００１１】
上記第１及び第２のシュレッダーは種々の構成をとることができ、例えば、上記傾斜面の上端を円弧状に形成することが好ましい。通常、紙などの被細断物を投入する際には被細断物の中央部が撓むため、上記傾斜面の上端を円弧状に形成することで、その撓んだ被細断物の形状と傾斜面の形状とが合致し、被細断物を投入口へ投入しやすくなる。
【発明の効果】
【００１２】
本発明によれば、寿命の低下を防止することができるシュレッダーを提供することができる。
【発明を実施するための最良の形態】
【００１３】
（第１実施形態）
以下、本発明に係るシュレッダーの第１実施形態を添付図面に従って説明する。図１は、第１実施形態に係るシュレッダーの側面断面図、図２は第１実施形態に係るシュレッダーの上蓋の斜視図、図３は第１実施形態に係るシュレッダーの上蓋の裏面を示す分解斜視図、図４は第１実施形態に係るシュレッダーの上蓋の側面断面図である。
【００１４】
図１に示すように、シュレッダー１は、上面が開口した楕円柱状のケーシング１１と、ケーシング１１の上面を塞ぐように設けられた上蓋１２とを備えている。上蓋１２は、図１及び図２に示すように、平面視が略楕円形状であって、ケーシング１１の上面と合致するような形状・大きさに形成されている。また、その中央部には、平面視略長方形状の開口１３が楕円形状の長軸方向に沿って延びるように形成されている。そして、この開口１３内には、後述する回転部材３が設置されており、これに隣接して停止スイッチ２が配置されている。上蓋１２内には、被細断物１００を細断するための一対の回転カッタ（細断手段）１４と、回転カッタ１４を回転駆動させるための駆動部である駆動モータ１６が設置されている。回転カッタ１４は、開口１３の下方に配置されており、その回転軸は開口１３の長手方向（図１の紙面手前側から奥側）に沿って延びている。ケーシング１１内には、回転カッタ１４によって細断された被細断物１００の細断屑２００を回収するための屑箱１５が設置されており、被細断物１００の細断屑２００が回収されるように配置されている。屑箱１５は、上面が開口された中空の楕円柱体で、ケーシング１１内に収容されるような大きさで形成されている。また、屑箱１５は、その内部が細断屑２００でいっぱいになると、ケーシング１１内から取り出すことができるよう、ケーシング１１内に取り外し自在に取り付けられている。
【００１５】
次に、回転部材３とその周辺の構成について説明する。
【００１６】
図２、図３及び図４に示すように、回転部材３は、開口１３内に設置されており、開口１３の長手方向に延びる略長方形状の側面３１と、側面３１の上部に形成された傾斜面３２と、上蓋１２の上面と平行に延びる上面３３とを備えている。そして、これら側面３１、傾斜面３２及び上面３３の各端部に連結した端面３４が２つ形成されており、各端面３４には貫通孔３４１が形成されている。側面３１は、その長手方向の長さが開口１３の長手方向の長さとほぼ同じの略長方形の板状であって、開口１３の内壁面１３１との間で被細断物１００を投入するための投入口１３’を形成している。この側面３１からは、開口１３の内壁面１３１と対向する側とは反対側に押圧突起３５が延びている。なお、開口１３の内壁面１３１と側面３１との距離である投入口１３’の幅Ｄは、回転カッタ１４が細断できる被細断物１００の最大厚さとほぼ同じとなるように構成している。このように構成された側面３１の上部には、傾斜面３２が形成されている。傾斜面３２は、投入口１３’の下方へ被細断物１００を案内するように傾斜しており、その上端が円弧状に形成されている。そして、上面３３が、その上面と上蓋１２の上面とが平坦となるように、傾斜面３２の円弧状の上端から延びている。以上のように構成された回転部材３における端面３４の貫通孔３４１内を、上蓋１２の裏面に固定された軸部材４の突起部４１が挿通するように延びている。これにより、回転部材３は、貫通孔３４１を中心に回転自在となるよう設置されている。
【００１７】
図３及び図４に示すように、停止スイッチ２は、回転部材３と隣接するように配置されており、駆動モータ１６に信号を送信して回転カッタ１４を停止させるように駆動モータ１６と電気的に接続されている。より詳細には、停止スイッチ２は、回転部材３側へ突出した押圧素子２１を有しており、回転部材３の押圧突起３５と対向して押圧されない程度に接触する位置に押圧素子２１が配置されるように、開口１３の周縁近傍で上蓋１２の裏面に固定されている。また、停止スイッチ２は、押圧素子２１が押圧されることで駆動モータ１６に回転カッタ１４を停止させる信号を送信するよう構成されている。
【００１８】
次に、上記のように構成されたシュレッダー１の動作について、図面を参照しつつ説明する。図５は第１実施形態に係るシュレッダーの動作を説明する説明図、より詳細には、回転部材３が図４の状態から時計回りに回転した状態を示す側面断面図である。
【００１９】
まず、不要になった紙などの被細断物１００を投入口１３’から投入する。投入した被細断物１００の枚数が回転カッタ１４の細断能力以内の枚数である、すなわち、被細断物１００の厚さｄが投入口１３’の幅Ｄよりも小さいと、投入口１３’から投入された被細断物１００は、図１に示すように、回転カッタ１４によって細断されて細断屑２００となり、屑箱１５内に回収される。
【００２０】
一方、図５に示すように、被細断物１００の枚数が回転カッタ１４の細断能力を超える枚数である場合、すなわち、被細断物１００の厚さｄが投入口１３’の幅Ｄとほぼ同じかそれ以上である場合、被細断物１００を投入すると、その被細断物１００の厚みによって被細断物１００と回転部材３の側面３１との間に摩擦力が作用する。そして、被細断物１００がさらに投入口１３’の下方へ進行すると、回転部材３が被細断物１００との間に作用する摩擦力によって被細断物１００の進行とともに時計回りに回転する。このように回転部材３が回転すると、その押圧突起３５が停止スイッチ２の押圧素子２１を押圧するので、停止スイッチ２から駆動モータ１６へ信号が送信されて駆動モータ１６を制御し、回転カッタ１４による細断を停止させる。なお、回転カッタ１４による細断が停止して被細断物１００を投入口１３’から引き抜くと、回転部材３が反時計回りに回転して元の状態（図４の状態）に戻るように、回転部材３はねじりバネ等の公知の付勢手段（図示省略）により付勢されている。
【００２１】
以上のように、第１実施形態によれば、回転カッタ１４の細断能力を超える枚数の被細断物１００を投入口１３’へ投入すると、回転カッタ１４がその細断能力を超える枚数の被細断物１００を細断する前に、回転部材３が回転することで回転カッタ１４を停止させることができる。このため、回転カッタ１４の細断能力を超える枚数の被細断物１００を細断することによって生じうる回転カッタ１４及びその駆動部である駆動モータ１６への過剰な負担を防止することを可能にする。この結果、回転カッタ１４及び駆動モータ１６の寿命が低下することを防止でき、ひいては、シュレッダー１自体の寿命が低下することを防止することができる。
【００２２】
また、回転部材３は、投入口１３’を形成する側面３１の上部に傾斜面３２が形成されているため、以下のような効果を得ることができる。すなわち、回転部材３の側面３１の上部に傾斜面３２が形成されていなければ、図６に示すように、被細断物１００の投入口１３’下方への進行に伴って回転部材３が回転する際、回転部材３の側面３１の上部（図６の二点鎖線で示した角部）が被細断物１００と当接して回転部材３の回転が困難となってしまい、停止スイッチ２の押圧素子２１を押圧できない可能性がある。これに対して、第１実施形態に係るシュレッダー１の回転部材３は側面３１の上部に傾斜面３２が形成されているため、回転部材３が回転する際、被細断物１００と当接する部分を削減することができるため、回転部材３を容易に回転させることができ、確実に停止スイッチ２の押圧素子２１を押圧して回転カッタ１４を停止させることができる。また、傾斜面３２が形成されていなければ、仮に回転部材３を回転させて回転カッタ１４を停止させることができても、側面３１の上部（図６の二点鎖線で示した角部）が被細断物１００に噛み込むことで、被細断物１００を投入口１３’から取り出すことが困難になる。これに対して、側面３１の上部に傾斜面３２を形成していると、投入口１３’に投入されて細断されなかった被細断物１００と噛み込む部分を削減することができるので、被細断物１００を投入口１３’から容易に取り出すことができる。
【００２３】
（第２実施形態）
次に、本発明に係るシュレッダーの第２実施形態について図７及び図８を参照しつつ説明する。図７は、第２実施形態に係るシュレッダー１’の上蓋１２の斜視図、図８は、第２実施形態に係るシュレッダー１’の上蓋の概略側面断面図である。
【００２４】
この第２実施形態が上述した第１実施形態と大きく相違する点は、シュレッダー１’が２つの回転部材３ａ，３ｂを備えている点であり、その他の構成は第１実施形態と同一であるため、以下では、第１実施形態と同一構成には同一符号を付して説明を省略する。
【００２５】
図７及び図８に示すように、シュレッダー１’は、上蓋１２の開口１３内に、第１回転部材３ａと第２回転部材３ｂとを所定間隔をおいて対向するように設置している。第１回転部材３ａは、長尺状に形成されており、開口１３の長手方向（図８の手前側から奥側の方向）に延びる略長方形形状の側面３１ａと、側面３１ａの上部に形成された傾斜面３２ａと、上蓋１２の上面と平行に延びる上面３３ａとを備えている。そして、これら側面３１ａ、傾斜面３２ａ及び上面３３ａの各端部に連結した端面３４ａが２つ形成されており、各端面３４ａには貫通孔３４１ａが形成されている。この貫通孔３４１ａ内には、第１実施形態と同様に、軸部材４ａの突起部４１ａが挿通されており、回転部材３ａは、貫通孔３４１ａを中心に回転可能に設置されている。また、同様に、第２回転部材３ｂも、側面３１ｂ、傾斜面３２ｂ、上面３３ｂ及び端面３４ｂを備え、端面３４ｂに形成された貫通孔３４１ｂ内に軸部材４ｂの突起部４１ｂが挿通されており、貫通孔３４１ｂを中心に回転可能に設置されている。そして、第１回転部材３ａの側面３１ａと、これと対向する第２回転部材３ｂの側面３１ｂとの間で被細断物１００を投入するための投入口１３’が形成されている。また、これら第１及び第２回転部材３ａ，３ｂは、それぞれ投入口１３’とは反対側に延びる押圧突起３５ａ，３５ｂが形成されている。
【００２６】
第１回転部材３ａの左側には、これと隣接するように第１停止スイッチ２ａが配置されている。第１停止スイッチ２ａは、第１回転部材３ａ側に突出する押圧素子２１ａを有しており、押圧素子２１ａは第１回転部材３ａの押圧突起３５ａと押圧されない程度に接触している。また、第２回転部材３ｂの右側には、これと隣接するように第２停止スイッチ２ｂが配置されている。第２停止スイッチ２ｂは、第１停止スイッチ２ａと同様に、第２回転部材３ｂ側に突出する押圧素子２１ｂを有しており、押圧素子２１ｂは第２回転部材３ｂの押圧突起３５ｂと押圧されない程度に接触している。
【００２７】
このように構成されたシュレッダー１’の動作について図９を参照しつつ説明する。図９は、第２実施形態に係るシュレッダー１’の動作を示す説明図である。まず、被細断物１００を投入口１３’に投入する。この被細断物１００の厚さｄが投入口１３’の幅Ｄとほぼ同じかそれよりも大きいと、その被細断物１００の厚みによって、被細断物１００と第１回転部材３ａの側面３１ａ及び第２回転部材３ｂの側面３１ｂと間に摩擦力が作用する。そして、さらに被細断物１００が下方へ進行すると、上記摩擦力により、第１回転部材３ａは時計回りに、第２回転部材３ｂは反時計回りに回転する。このように、第１回転部材３ａが回転することで、その押圧突起３５ａが停止スイッチ２ａの押圧素子２１ａを押圧し、また、第２回転部材３ｂが回転することで、その押圧突起３５ｂが停止スイッチ２ｂの押圧素子２１ｂを押圧する。そして、各停止スイッチ２ａ，２ｂから信号が送信されて駆動モータ１６を制御し、回転カッタ１４による細断を停止させる。
【００２８】
以上のように、第２実施形態によれば、上記第１実施形態と同様の効果を得られるほか、以下の効果を得ることができる。すなわち、第２実施形態に係るシュレッダー１’は、対向する第１回転部材３ａと第２回転部材３ｂとによって投入口１３’を形成している。よって、投入口１３’の幅Ｄよりも大きい厚さｄを有する被細断物１００を投入すると、この被細断物１００を双方とも回転する第１及び第２回転部材３ａ，３ｂによって挟む状態となるため、いずれの回転部材３ａ，３ｂに対しても力が作用しやすくなり、より容易に各回転部材３ａ，３ｂが回転するようになる。この結果、より確実に各回転部材３ａ，３ｂの押圧突起３５ａ，３５ｂが各停止スイッチ２ａ，２ｂの押圧素子２１ａ，２１ｂを押圧して第１及び第２停止スイッチ２ａ，２ｂを作動させ、回転カッタ１４を停止させることを可能とする。
【００２９】
なお、上記第２実施形態では、各回転部材３ａ，３ｂに対応させて２つの停止スイッチ２ａ，２ｂを設置したが、第２回転部材３ｂに対応する第２停止スイッチ２ｂを省略することもできる。また、図８の左側に配置された回転部材３ａを本発明の第１回転部材として説明したが、右側に配置された回転部材３ｂが本発明の第１回転部材に相当するものであってもよく、この場合は左側に配置された停止スイッチ２ａを省略することもできる。
【００３０】
以上、本発明の各実施形態について説明したが、本発明はこれらに限定されるものではなく、本発明の趣旨を逸脱しない限りにおいて種々の変更が可能である。例えば、上記実施形態では、停止スイッチ２の押圧素子２１を押圧することで回転カッタ１４を停止させる構造としているが、停止スイッチ２が回転部材３との距離を検出する検出器を備えており、回転部材３との距離によって駆動モータ１６に回転カッタ１４を停止させる信号を送信することができるように構成することもできる。または、停止スイッチ２が回転部材３の回転角度を検出する検出器を有し、回転部材３が所定角度回転したことを検出して、駆動モータ１６に回転カッタ１４を停止させる信号を送信することができるように構成することもできる。
【００３１】
また、上記実施形態では、細断手段として回転カッタ１４を用いているが、特にこれに限定されるものではなく、被細断物１００を細断できるものであればよい。
【図面の簡単な説明】
【００３２】
【図１】本発明に係るシュレッダーの第１実施形態を示す側面断面図である。
【図２】第１実施形態に係るシュレッダーの上蓋の斜視図である。
【図３】第１実施形態に係るシュレッダーの上蓋の裏面を示す分解斜視図である。
【図４】第１実施形態に係るシュレッダーの上蓋の側面断面図である。
【図５】第１実施形態に係るシュレッダーの動作を説明する説明図である。
【図６】第１実施形態に係るシュレッダーの動作の概略を説明する説明図である。
【図７】第２実施形態に係るシュレッダーの上蓋の斜視図である。
【図８】第２実施形態に係るシュレッダーの上蓋の概略側面断面図である。
【図９】第２実施形態に係るシュレッダーの動作を説明する説明図である。
【符号の説明】
【００３３】
１  シュレッダー
１００  被細断物
１３  開口
１３’  投入口
１３１  内壁面
１４  回転カッタ（細断手段）
２  停止スイッチ
３  回転部材
３１  側面
３２  傾斜面
【図１】
2008136988.tif 000003
【図２】
2008136988.tif 000004
【図３】
2008136988.tif 000005
【図４】
2008136988.tif 000006
【図５】
2008136988.tif 000007
【図６】
2008136988.tif 000008
【図７】
2008136988.tif 000009
【図８】
2008136988.tif 000010
【図９】
2008136988.tif 000011